(57)【要約】【課題】音声コンテンツを記憶する商品の出品作業の負担を低減することである。【解決手段】商品出品システム１において、商品出品サーバ２０は、端末装置１０で入力された音声入力データに対応する音声コンテンツ名を音声コンテンツ名特定サーバ３０から取得し、オークションサーバ４０に、取得された音声コンテンツ名に対応する商品を出品する。【選択図】  図１
2015219809.tif 000002
【特許請求の範囲】
【請求項１】
音声入力データに対応する音声コンテンツ名を取得する取得手段と、
前記取得された音声コンテンツ名に対応する商品を出品する出品手段と、を備える商品出品サーバ。
【請求項２】
前記取得された音声コンテンツ名に対応する商品の商品情報を、商品を識別する商品識別情報に基づいて特定する特定手段と、
前記特定された商品情報を端末装置に送信する第１の送信手段と、
前記送信された商品情報の商品の出品情報を前記端末装置から受信する受信手段と、を備え、
前記出品手段は、前記受信された出品情報に応じて商品を出品する請求項１に記載の商品出品サーバ。
【請求項３】
前記特定された音声コンテンツ名に対応する複数の商品がある場合に、当該複数の商品に対応する複数の商品情報のリストを生成する生成手段を備え、
前記出品手段は、前記生成された商品情報のリストの商品のうち、選択された商品の出品情報に応じて当該商品を出品する請求項２に記載の商品出品サーバ。
【請求項４】
前記取得手段は、複数の音声入力データに対応する複数の音声コンテンツ名を取得し、
前記特定手段は、前記取得された複数の音声コンテンツ名を含む１つ又は複数の商品の商品情報を特定し、
前記出品手段は、前記特定された商品情報の商品を出品する請求項２又は３に記載の商品出品サーバ。
【請求項５】
前記特定手段は、前記取得された音声コンテンツ名に対応する商品の商品情報を、ユーザの購入履歴情報から特定する請求項２から４のいずれか一項に記載の商品出品サーバ。
【請求項６】
請求項１から５のいずれか一項に記載の商品出品サーバと、
前記端末装置と、を備え、
前記端末装置は、
音声の入力を受け付けて音声入力データを取得する音声入力手段と、
前記音声入力手段により取得された音声入力データを前記商品出品サーバに送信する第２の送信手段と、を備える商品出品システム。
【請求項７】
音声入力データに対応する音声コンテンツ名を取得する取得工程と、
前記取得された音声コンテンツ名に対応する商品を出品する出品工程と、を含む商品出品方法。
【請求項８】
コンピュータを、
音声入力データに対応する音声コンテンツ名を取得する取得手段、
前記取得された音声コンテンツ名に対応する商品を出品する出品手段、
として機能させるためのプログラム。
【発明の詳細な説明】
【技術分野】
【０００１】
本発明は、商品出品サーバ、商品出品システム、商品出品方法及びプログラムに関する。
【背景技術】
【０００２】
従来、出品者が出品対象の商品の情報をインターネットのオークションサイトに掲載して出品し、落札者が商品を落札して料金を支払い、当該出品者が落札された商品を当該落札者に送付することで商取引を行うネットオークションが知られている。
【０００３】
ネットオークションの出品作業において、キーボードを介して出品する商品の情報を入力する作業は、作業負担が大きい。このため、出品者が書籍等の商品のＩＳＢＮ（International Standard Book Number）コードを音声で読み上げ、読み上げられたＩＳＢＮコードを音声認識し、認識されたＩＳＢＮコードに対応する商品情報を検索し、検索した商品情報を用いてオンラインショップに自動的に当該商品の出品を行う携帯端末が知られている（特許文献１参照）。
【先行技術文献】
【特許文献】
【０００４】
【特許文献１】特開２００７−４８０２１号公報
【発明の概要】
【発明が解決しようとする課題】
【０００５】
しかし、特許文献１の出品情報取得プログラムにおいて、ＩＳＢＮコードの読み上げにより商品の情報を入力する作業は、ＩＳＢＮコードの目視及びその発声を伴い、依然として出品者の作業負担が大きい。特に、ＣＤ（Compact Disc）等のように、曲等の音声コンテンツを記憶する商品の出品作業を低減する要請がある。
【０００６】
本発明の課題は、音声コンテンツを記憶する商品の出品作業の負担を低減することである。
【課題を解決するための手段】
【０００７】
上記課題を解決するために、請求項１に記載の発明の商品出品サーバは、
音声入力データに対応する音声コンテンツ名を取得する取得手段と、
前記取得された音声コンテンツ名に対応する商品を出品する出品手段と、を備える。
【０００８】
請求項２に記載の発明は、請求項１に記載の商品出品サーバにおいて、
前記取得された音声コンテンツ名に対応する商品の商品情報を、商品を識別する商品識別情報に基づいて特定する特定手段と、
前記特定された商品情報を端末装置に送信する第１の送信手段と、
前記送信された商品情報の商品の出品情報を前記端末装置から受信する受信手段と、を備え、
前記出品手段は、前記受信された出品情報に応じて商品を出品する。
【０００９】
請求項３に記載の発明は、請求項２に記載の商品出品サーバにおいて、
前記特定された音声コンテンツ名に対応する複数の商品がある場合に、当該複数の商品に対応する複数の商品情報のリストを生成する生成手段を備え、
前記出品手段は、前記生成された商品情報のリストの商品のうち、選択された商品の出品情報に応じて当該商品を出品する。
【００１０】
請求項４に記載の発明は、請求項２又は３に記載の商品出品サーバにおいて、
前記取得手段は、複数の音声入力データに対応する複数の音声コンテンツ名を取得し、
前記特定手段は、前記取得された複数の音声コンテンツ名を含む１つ又は複数の商品の商品情報を特定し、
前記出品手段は、前記特定された商品情報の商品を出品する。
【００１１】
請求項５に記載の発明は、請求項２から４のいずれか一項に記載の商品出品サーバにおいて、
前記特定手段は、前記取得された音声コンテンツ名に対応する商品の商品情報を、ユーザの購入履歴情報から特定する。
【００１２】
請求項６に記載の発明の商品出品システムは、
請求項１から５のいずれか一項に記載の商品出品サーバと、
前記端末装置と、を備え、
前記端末装置は、
音声の入力を受け付けて音声入力データを取得する音声入力手段と、
前記音声入力手段により取得された音声入力データを前記商品出品サーバに送信する第２の送信手段と、を備える。
【００１３】
請求項７に記載の発明の商品出品方法は、
音声入力データに対応する音声コンテンツ名を取得する取得工程と、
前記取得された音声コンテンツ名に対応する商品を出品する出品工程と、を含む。
【００１４】
請求項８に記載の発明のプログラムは、
コンピュータを、
音声入力データに対応する音声コンテンツ名を取得する取得手段、
前記取得された音声コンテンツ名に対応する商品を出品する出品手段、
として機能させるためのプログラム。
【発明の効果】
【００１５】
本発明によれば、音声コンテンツを記憶する商品の出品作業の負担を低減できる。
【図面の簡単な説明】
【００１６】
【図１】本発明の実施の形態の商品出品システムを示すブロック図である。
【図２】（ａ）は、音声コンテンツ名データベースの構成を示す図である。（ｂ）は、商品情報データベースの構成を示す図である。（ｃ）は、購入履歴データベースの構成を示す図である。
【図３】（ａ）は、商品出品要求処理を示すフローチャートである。（ｂ）は、商品出品処理を示すフローチャートである。
【図４】音声コンテンツ名特定処理を示すフローチャートである。
【発明を実施するための形態】
【００１７】
以下、添付図面を参照して本発明に係る実施の形態を詳細に説明する。なお、本発明は、図示例に限定されるものではない。
【００１８】
［１．実施の形態］
図１〜図３を参照して、本発明に係る実施の形態を説明する。
【００１９】
［２．装置構成の説明］
図１を参照して、本実施の形態の装置構成を説明する。図１は、本実施の形態の商品出品システム１を示すブロック図である。
【００２０】
［２−１．全体構成］
図１を参照して、本実施の形態の商品出品システム１を説明する。
【００２１】
商品出品システム１は、ＣＤ、ＤＶＤ（Digital Versatile Disc）、Blu-Ray Disc、Mini Disc、カセットテープ、レコード、ビデオテープ等の音声コンテンツが記憶された商品をオークションに出品するシステムである。本実施の形態においては、商品に記憶された音声コンテンツが、楽曲、講話、環境音、音声劇等の音声、映画等の映像の音声等を含むデータである。
【００２２】
商品出品システム１は、端末装置１０と、商品出品サーバ２０と、音声コンテンツ名特定サーバ３０と、オークションサーバ４０と、を備える。商品出品サーバ２０、音声コンテンツ名特定サーバ３０及びオークションサーバ４０は、インターネット等の通信ネットワークＮに接続されている。端末装置１０は、通信ネットワークＮに接続されたアクセスポイント（図示略）又は基地局（図示略）と無線通信接続されている。つまり、端末装置１０は、通信ネットワークＮを介して、商品出品サーバ２０と通信接続される。
【００２３】
端末装置１０は、オークションの商品の出品に関する情報の入力を行う端末装置である。また、端末装置１０は、商品に記憶された音声コンテンツに応じた音声入力を行い、音声入力データを取得する音声入力機能と、商品の出品情報の操作入力機能と、を有する。端末装置１０で入力される音声入力データは、音声コンテンツの少なくとも一部の音声（例えば、楽曲の音声コンテンツのイントロ部分）であればよい。この音声コンテンツの一部とは、商品出品サーバ２０が少なくとも音声入力データから音声名を特定できる部分の音声である。本実施の形態では、端末装置１０が、出品者としてのユーザ５０が所持するスマートフォンであるものとする。但し、端末装置１０は、タブレットＰＣ（Personal Computer）、携帯電話機、デスクトップＰＣ等、音声入力機能を有する他の端末装置としてもよい。
【００２４】
商品出品サーバ２０は、端末装置１０で入力された音声入力データに対応する音声コンテンツの音声コンテンツ名を音声コンテンツ名特定サーバ３０に特定させ、特定された音声コンテンツ名に対応する商品の商品情報を端末装置１０に提供し、端末装置１０に選択された商品の出品を行うサーバである。
【００２５】
また、商品出品サーバ２０は、端末装置１０等の機器でユーザに入力された商品注文情報を当該機器から受信し、当該商品注文情報に応じて商品を当該ユーザに販売し、その販売した商品の購入履歴情報を記憶する機能を有するものとする。さらに、商品出品サーバ２０は、ユーザ（ユーザＩＤ）毎に、オークションサーバ４０で取引された商品の購入履歴情報や、他のショッピングサイトやオークションサイト等のサーバから商品の購入履歴情報を取得し、記憶する機能を有するものとする。上記商品の購入履歴情報は、後述する購入履歴データベース９０として記憶される。
【００２６】
音声コンテンツ名特定サーバ３０は、商品出品サーバ２０から音声入力データを受信し、当該音声入力データと、予め記憶された各音声コンテンツの音声データとを照合して一致又は似ている音声データに対応する音声コンテンツ名を特定するサーバである。音声コンテンツ名特定サーバ３０に記憶される音声データは、音声コンテンツの一部分（イントロ部分等）に対応する音声入力データとの照合によっても、音声コンテンツ名が特定できるような音声データであるものとする。
【００２７】
オークションサーバ４０は、オークションを管理するサーバである。オークションサーバ４０は、より具体的には、出品された商品の出品情報の公開と、出品された商品の競り落としと、落札された商品についての出品者及び落札者の間の連絡、支払い、商品発送の仲介と、を管理する。
【００２８】
［２−２．端末装置１０の構成］
図１に示すように、端末装置１０は、制御部１１と、記憶部１２と、第２の送信手段としての通信部１３と、表示部１４と、操作部１５と、音声入力手段としての音声入力部１６と、を備える。
【００２９】
制御部１１は、ＣＰＵ（Central Processing Unit）、ＲＡＭ（Random Access Memory）により構成される。制御部１１は、ＣＰＵが記憶部１２に記憶されたプログラムをＲＡＭに展開し、当該展開されたプログラムとＣＰＵとの協働で、各種処理を実行する。
【００３０】
記憶部１２は、フラッシュメモリ、ＥＥＰＲＯＭ（Electrically Erasable Programmable ROM）等のデータの読み取り及び書き込みが可能な記憶部により構成され、各種データ及びプログラムを記憶する。記憶部１２には、商品出品要求プログラムが記憶されているものとする。
【００３１】
通信部１３は、アンテナ、変調復調回路、信号処理回路等からなる無線通信部により構成され、無線ＬＡＮ通信方式又はモバイル通信方式により、通信ネットワークＮ上のアクセスポイント（図示略）又は基地局（図示略）と情報の送受信を行う。つまり、通信部１３は、アクセスポイント又は基地局を介して、通信ネットワークＮ上の機器（商品出品サーバ２０）との通信を行う。
【００３２】
表示部１４は、ＬＣＤ（Liquid Crystal Display）等で構成され、各種表示情報を表示する。操作部１５は、表示部１４の表示画面に一体的に設けられたタッチパネル等で構成され、ユーザからの操作入力を受け付け、その操作情報を制御部１１に出力する。
【００３３】
音声入力部１６は、マイク、スピーカ等からなる通話部（図示略）のうちのマイクを有し、当該マイクを介して音声入力を受け付け音声入力データに変換して取得する。音声入力部１６は、ユーザ５０が発生した音声や、再生装置６０により再生された商品の音声が入力される。ユーザ５０は、出品する商品に記憶された音声コンテンツの音声に似せた歌声、鼻歌、口笛等を音声として発生し、音声入力部１６に入力させる。再生装置６０は、出品する商品としての、ＣＤ等の商品に記憶された音声コンテンツを再生するＣＤプレーヤ等の装置であり、その再生により出力した音声を音声入力部１６に入力させる。
【００３４】
［２−３．商品出品サーバ２０の構成］
図１に示すように、商品出品サーバ２０は、出品手段、特定手段、生成手段としての制御部２１と、記憶部２２と、取得手段、第１の送信手段、受信手段としての通信部２３と、を備える。
【００３５】
制御部２１は、端末装置１０の制御部１１と同様に、ＣＰＵが記憶部２２に記憶されたプログラムをＲＡＭに展開し、当該展開されたプログラムとＣＰＵとの協働で、各種処理を実行する。
【００３６】
記憶部２２は、ＨＤＤ（Hard Disk Drive）、ＳＳＤ（Solid State Drive）等のデータの読み取り及び書き込みが可能な記憶部により構成され、各種データ及びプログラムを記憶する。記憶部２２には、後述する商品情報データベース８０、購入履歴データベース９０及び商品出品プログラムが記憶されている。
【００３７】
通信部２３は、ネットワークカード等により構成され、通信ネットワークＮと情報の送受信を行う。つまり、通信部２３は、通信ネットワークＮ上の機器（端末装置１０、音声コンテンツ名特定サーバ３０、オークションサーバ４０）との通信を行う。
【００３８】
［２−４．音声コンテンツ名特定サーバ３０の構成］
図１に示すように、音声コンテンツ名特定サーバ３０は、制御部３１と、記憶部３２と、通信部３３と、を備える。
【００３９】
制御部３１は、端末装置１０の制御部１１と同様に、ＣＰＵが記憶部３２に記憶されたプログラムをＲＡＭに展開し、当該展開されたプログラムとＣＰＵとの協働で、各種処理を実行する。
【００４０】
記憶部３２は、ＨＤＤ、ＳＳＤ等のデータの読み取り及び書き込みが可能な記憶部により構成され、各種データ及びプログラムを記憶する。記憶部３２には、後述する音声コンテンツ名データベース７０、複数の音声データ及び音声コンテンツ名特定プログラムが記憶されている。
【００４１】
通信部３３は、ネットワークカード等により構成され、通信ネットワークＮと情報の送受信を行う。つまり、通信部３３は、通信ネットワークＮ上の機器（商品出品サーバ２０）との通信を行う。
【００４２】
［３．商品出品システム１に記憶されている情報］
図２を参照して、商品出品システム１に記憶されている情報を説明する。図２（ａ）は、音声コンテンツ名データベース７０の構成を示す図である。図２（ｂ）は、商品情報データベース８０の構成を示す図である。図２（ｃ）は、購入履歴データベース９０の構成を示す図である。
【００４３】
［３−１．音声コンテンツ名データベース７０の構成］
音声コンテンツ名特定サーバ３０の記憶部３２には、音声コンテンツ名のデータベースとして、音声コンテンツ名データベース７０と、複数の音声データと、が記憶されている。複数の音声データは、複数の商品に記憶された複数の曲等の音声コンテンツの音声データであり、各音声データにユニークな音声データ番号が付与されている。
【００４４】
図２（ａ）に示すように、音声コンテンツ名データベース７０は、音声データ番号７１と、音声コンテンツ名７２と、のフィールドを有する。
【００４５】
音声データ番号７１は、記憶部３２に記憶されている複数の音声データの識別情報である。音声コンテンツ名７２は、音声データ番号７１の音声データに対応する音声コンテンツの名称である。
【００４６】
［３−２．商品情報データベース８０の構成］
商品出品サーバ２０の記憶部２２には、商品情報データベース８０が記憶されている。図２（ｂ）に示すように、商品情報データベース８０は、商品名８１、全音声コンテンツ名８２、アーティスト名８３、定価８４等のフィールドを有する。
【００４７】
商品名８１は、音声コンテンツを記憶している商品の識別情報としての名称である。全音声コンテンツ名８２は、商品名８１の商品に記憶された全ての音声コンテンツの名称である。全音声コンテンツ名８２は、ある１つの音声コンテンツ名を有し、それが複数の商品の商品名８１に対応してもよい。例えば、１つの曲の曲名について、当該曲が記憶されたシングルのＣＤの商品と、当該曲を含む複数の曲が記憶されたアルバムの商品と、の商品名が対応する。また、全音声コンテンツ名８２は、複数の音声コンテンツ名を有し、それらが１つの商品名８１に対応してもよい。例えば、複数の曲からなる１つのアルバムの商品の商品名８１である。
【００４８】
アーティスト名８３は、商品名８１の商品のアーティストの名称（商品の音声コンテンツを創った人物の名称）である。定価８４は、商品名８１の商品の定価である。
【００４９】
［３−３．購入履歴データベース９０の構成］
商品出品サーバ２０の記憶部２２には、購入履歴データベース９０が記憶されている。図２（ｃ）に示すように、購入履歴データベース９０は、ユーザＩＤ９１、商品名９２、等のフィールドを有する。
【００５０】
ユーザＩＤ９１は、ユーザの識別情報である。商品名９２は、ユーザＩＤ９１のユーザが購入した商品の識別情報としての名称である。商品名９２の購入商品は、商品出品サーバ２０、オークションサーバ４０、他のサイトのサーバ等で購入された商品である。
【００５１】
［４．商品出品システム１の動作］
図３（ａ）、図３（ｂ）、図４を参照して、商品出品システム１の動作を説明する。図３（ａ）は、商品出品要求処理を示すフローチャートである。図３（ｂ）は、商品情報提供処理を示すフローチャートである。図４は、音声コンテンツ名特定処理を示すフローチャートである。
【００５２】
［４−１．商品出品要求処理］
図３（ａ）を参照して、端末装置１０で実行される商品出品要求処理を説明する。ユーザ５０が、音声コンテンツが記憶されたＣＤ等の商品を所有しており、その商品をオークションサーバ４０が管理するオークションに出品するものとする。予め、ＣＤ等の商品が再生装置６０にセットされ、あるいは、ユーザ５０が当該商品に記憶された曲等の音声（歌声、鼻歌、口笛等）を発生する準備ができているものとする。
【００５３】
端末装置１０において、例えば、操作部１５を介してユーザ５０から商品出品要求処理の実行指示が入力されたことをトリガとして、制御部１１は、記憶部１２に記憶された商品出品要求プログラムに従い、商品出品要求処理を実行する。
【００５４】
先ず、制御部１１は、操作部１５を介してユーザ５０からのユーザＩＤ及びパスワードの入力を受け付け、通信部１３により、ユーザＩＤ及びパスワードを商品出品サーバ２０に送信し、ログイン認証ＯＫの応答情報を商品出品サーバ２０から受信することにより、ログイン処理を行う（ステップＳ１０）。なお、ステップＳ１０で、制御部１１は、ログイン認証ＮＧの応答情報を商品出品サーバ２０から受信した場合に、再度、ユーザＩＤ及びパスワードの入力受付及び送信を行う。
【００５５】
そして、制御部１１は、音声入力部１６により、再生装置６０又はユーザ５０により再生又は発生された１つの音声を入力し、その１つの音声入力データを取得する（ステップＳ１１）。ステップＳ１１では、再生装置６０により商品の音声再生がなされ、あるいは、ユーザ５０により音声が発生される。ステップＳ１１で入力される音声は、例えば、商品に記憶された音声コンテンツのイントロ部分である。
【００５６】
そして、制御部１１は、操作部１５を介したユーザ５０から他の入力対象の音声があるか否かの操作入力に応じて、他の入力対象の音声があるか否かを判別する（ステップＳ１２）。他の入力対象の音声がある場合（ステップＳ１２；ＹＥＳ）、ステップＳ１１に移行される。
【００５７】
他の入力対象の音声がない場合（ステップＳ１２；ＮＯ）、制御部１１は、通信部１３により、ステップＳ１１で取得した音声入力データを商品出品サーバ２０に送信する（ステップＳ１３）。そして、制御部１１は、通信部１３により、商品出品サーバ２０から、複数の商品情報からなる商品情報リスト、１つの商品情報、又は音声入力データに対応する商品がない旨の該当なし情報を受信し、該当なし情報を受信したか否かを判別する（ステップＳ１４）。
【００５８】
ステップＳ１４で受信される商品情報は、１つ又は複数の音声入力データに一致又は似ている１つの音声データがある場合に、当該１つの音声データに対応する１つの商品の商品情報となる。また、ステップＳ１４で受信される商品情報は、１つの音声入力データに似ている複数の音声データがある場合に、当該複数の音声データに対応する複数の商品の商品情報リストとなる。さらに、ステップＳ１４で受信される商品情報は、１つの音声入力データに一致又は似ている１つの音声データに対応する複数の商品がある場合に、当該複数の商品に対応する複数の商品情報リストとなる。また、商品情報は、音声入力データに対応する音声コンテンツ名の音声コンテンツが記憶された商品の商品名、当該商品の全音声コンテンツ名、アーティスト名、定価を含む。
【００５９】
該当なし情報を受信した場合（ステップＳ１４；ＹＥＳ）、制御部１１は、該当なし情報を表示部１４に表示し（ステップＳ１５）、商品出品要求処理を終了する。
【００６０】
該当なし情報を受信していない場合（ステップＳ１４；ＮＯ）、制御部１１は、ステップＳ１４で商品情報リストを受信したか否かを判別する（ステップＳ１６）。商品情報リストを受信した場合（ステップＳ１６；ＹＥＳ）、制御部１１は、受信した商品情報リストを表示部１４に表示する（ステップＳ１７）。
【００６１】
そして、制御部１１は、操作部１５を介して、ユーザ５０からのステップＳ１７で表示した商品情報リストのうちの出品する１つの商品情報の商品の選択入力を受け付ける（ステップＳ１８）。商品情報リストを受信していない場合（ステップＳ１６；ＮＯ）、ステップＳ１４で１つの商品情報を受信しており、制御部１１は、受信した１つの商品情報を表示部１４に表示する（ステップＳ１９）。
【００６２】
そして、制御部１１は、ステップＳ１８で選択された商品の商品情報、又はステップＳ１４で受信された１つの商品情報に対応して、当該商品情報を含む出品情報を入力するための出品情報入力画面情報を生成して表示部１４に表示する（ステップＳ２０）。出品情報入力画面情報は、商品情報の入力欄と、商品情報以外の出品情報の入力欄と、を有する。商品情報の入力欄には、ステップＳ１８で選択された、又はステップＳ１４で受信された１つの商品情報がセットされ、この商品情報に修正部分がある場合に、その修正部分を入力するだけでよい。商品情報以外の出品情報は、例えば、出品者（ユーザ５０）の名前、住所、電話番号、商品情報を補充する商品の説明情報、落札受付開始日時、落札受付終了日時、商品の取引についての注意事項等である。
【００６３】
そして、制御部１１は、ステップＳ２０で表示された出品情報入力画面情報に応じて、操作部１５を介して、ユーザ５０からの出品情報の入力を受け付ける（ステップＳ２１）。そして、制御部１１は、通信部１３により、ステップＳ２１で入力された商品情報を含む出品情報を商品出品サーバ２０に送信し（ステップＳ２２）、商品出品要求処理を終了する。
【００６４】
［４−２．商品出品処理］
図３（ｂ）を参照して、商品出品サーバ２０で実行される商品出品処理を説明する。商品出品サーバ２０において、図３（ａ）の商品出品要求処理のステップＳ１０に対応して、通信部２３により、ユーザＩＤ及びパスワードを端末装置１０から受信したことをトリガとして、制御部２１は、記憶部２２に記憶された商品出品プログラムに従い、商品出品処理を実行する。
【００６５】
先ず、制御部２１は、受信したユーザＩＤ及びパスワードを、記憶部１２に記憶された登録者情報（図示略）のユーザＩＤ及びパスワードと照合し、一致するものがある場合に、通信部２３により、ログイン認証ＯＫの応答情報を端末装置１０に送信する（ステップＳ３０）。ステップＳ３０で、制御部２１は、一致するユーザＩＤ及びパスワードがない場合に、通信部２３により、ログイン認証ＮＧの応答情報を端末装置１０に送信し、再度受信を待機する。
【００６６】
そして、図３（ａ）のステップＳ１３に対応して、制御部２１は、通信部２３により、１つ又は複数の音声入力データを端末装置１０から受信する（ステップＳ３１）。そして、制御部２１は、通信部２３により、ステップＳ３１で受信した１つ又は複数の音声入力データを音声コンテンツ名特定サーバ３０に送信する（ステップＳ３２）。
【００６７】
そして、制御部２１は、通信部２３により、ステップＳ３２で送信した１つ又は複数の音声入力データに対応する１つ又は複数の音声コンテンツ名、又は該当なし情報を音声コンテンツ名特定サーバ３０から受信し、当該受信した情報が何であるかを判別する（ステップＳ３３）。受信した情報が該当なし情報である場合（ステップＳ３３；該当なし情報）、図３（ａ）のステップＳ１４に対応して、制御部２１は、通信部２３により、ステップＳ３３で受信した該当なし情報を端末装置１０に送信し（ステップＳ３４）、商品出品処理を終了する。
【００６８】
受信した情報が音声コンテンツ名である場合（ステップＳ３３；音声コンテンツ名）、制御部２１は、記憶部２２に記憶された商品情報データベース８０及び購入履歴データベース９０を参照し、受信した１つ又は複数の音声コンテンツ名を含む全音声コンテンツ名８２に対応する商品名８１、全音声コンテンツ名８２、アーティスト名８３、定価８４等からなる１つ又は複数の商品情報であって、商品名８１がログインユーザのユーザＩＤ９１に対応する商品名９２にあるものを特定する（ステップＳ３５）。そして、制御部２１は、ステップＳ３５で複数の商品情報が生成されたか否かを判別する（ステップＳ３６）。
【００６９】
複数の商品情報が特定された場合（ステップＳ３６；ＹＥＳ）、制御部２１は、ステップＳ３５で生成された複数の商品情報からなる商品情報リストを生成する（ステップＳ３７）。そして、図３（ａ）のステップＳ１４に対応して、制御部２１は、通信部２３により、ステップＳ３５で特定した１つの商品情報、又はステップＳ３７で生成した商品情報リストを端末装置１０に受信する（ステップＳ３８）。複数の商品情報が特定されていない場合（ステップＳ３６；ＮＯ）、ステップＳ３８に移行される。
【００７０】
そして、制御部２１は、図３（ａ）のステップＳ２２に対応して、制御部２１は、通信部２３により、出品情報を端末装置１０から受信したか否かを判別する（ステップＳ３９）。出品情報を受信していない場合（ステップＳ３９；ＮＯ）、ステップＳ３９に移行される。出品情報を受信した場合（ステップＳ３９；ＹＥＳ）、制御部２１は、受信した出品情報をオークションサーバ４０に送信して、当該出品情報をオークション用に登録させて商品を出品し（ステップＳ４０）、商品出品処理を終了する。オークションサーバ４０は、出品情報を商品出品サーバ２０から受信し、受信した出品情報をオークション用に登録し、自機が管理するオークションの出品情報のページに当該出品情報を追加して公開し、落札者の落札依頼を待機する。
【００７１】
［４−３．音声コンテンツ名特定処理］
図４を参照して、音声コンテンツ名特定サーバ３０で実行される音声コンテンツ名特定処理を説明する。音声コンテンツ名特定サーバ３０において、図３（ｂ）の商品出品処理のステップＳ３２に対応して、通信部３３により、１つ又は複数の音声入力データを商品出品サーバ２０から受信開始したことをトリガとして、制御部３１は、記憶部３２に記憶された音声コンテンツ名特定プログラムに従い、音声コンテンツ名特定処理を実行する。
【００７２】
先ず、制御部３１は、通信部３３により、１つ又は複数の音声入力データを商品出品サーバ２０から受信完了する（ステップＳ５１）。そして、制御部３１は、ステップＳ５１で受信した１つ又は複数の音声入力データのそれぞれと、記憶部３２に記憶された音声データのそれぞれと波形の照合を行い、記憶部３２に記憶された音声コンテンツ名データベース７０を参照し、波形が一致又は似ている１つ又は複数の音声データの音声データ番号７１に対応する１つ又は複数の音声コンテンツ名７２を読み出して特定する（ステップＳ５２）。
【００７３】
そして、制御部３１は、ステップＳ５２で特定した音声コンテンツ名があるか否かを判別する（ステップＳ５３）。特定した音声コンテンツ名がある場合（ステップＳ５３）、図３（ｂ）のステップＳ３３に対応して、制御部３１は、通信部３３により、特定した１つ又は複数の音声コンテンツ名を商品出品サーバ２０に送信し（ステップＳ５４）、音声コンテンツ名特定処理を終了する。特定した音声コンテンツ名がない場合（ステップＳ５３；ＮＯ）、図３（ｂ）のステップＳ３３に対応して、制御部３１は、通信部３３により、該当なし情報を商品出品サーバ２０に送信し（ステップＳ５５）、音声コンテンツ名特定処理を終了する。
【００７４】
［５．実施の形態の効果］
本実施の形態によれば、商品出品サーバ２０は、端末装置１０で入力された音声入力データに対応する音声コンテンツ名を音声コンテンツ名特定サーバ３０から取得し、オークションサーバ４０に、取得された音声コンテンツ名に対応する商品を出品する。このため、音声コンテンツを記憶する商品に対応する音声入力データを取得することにより、当該商品の出品を行うので、出品者（ユーザ５０）について、音声コンテンツを記憶する商品の出品作業の負担を低減できる。
【００７５】
また、商品出品サーバ２０は、取得された音声コンテンツ名に対応する商品の商品情報を、商品を識別する商品名に基づいて特定し、特定された商品情報を端末装置１０に送信し、送信した商品情報の商品の出品情報を端末装置１０から受信し、受信した出品情報に応じて商品を出品する。このため、端末装置１０が商品情報を取得でき、出品者が商品情報を利用して、当該商品情報を含む出品情報を容易に入力でき、当該出品情報に応じて商品を容易に出品できる。
【００７６】
また、商品出品サーバ２０は、特定された音声コンテンツ名に対応する複数の商品がある場合に、当該複数の商品に対応する複数の商品情報のリストを生成し、生成した商品情報のリストの商品のうち、端末装置１０で出品者に選択された商品の出品情報に応じて商品を出品する。このため、出品者が音声入力データに対応する商品を容易に選択でき、正確に商品を出品できる。また、音声コンテンツ名に対応する複数の商品がない場合に、商品情報のリストを生成しないので、商品出品サーバ２０の処理負担を低減できる。
【００７７】
また、商品出品サーバ２０は、複数の音声入力データに対応する複数の音声コンテンツ名を音声コンテンツ名特定サーバ３０から取得し、取得された複数の音声コンテンツ名を含む１つ又は複数の商品の商品情報を特定し、特定した商品情報の商品を出品する。このため、複数の音声入力データに対応する複数の商品を出品できるだけではなく、複数の音声入力データに対応する複数の音声コンテンツが記憶された１つの商品の出品をできるので、商品の出品作業の負担をより低減できるとともに、より正確に商品を出品できる。
【００７８】
また、商品出品サーバ２０は、取得した音声コンテンツ名に対応する商品の商品情報を、ユーザの購入履歴データベース９０の商品名９２に対応する商品情報から特定する。このため、出品者が購入により確実に持っている商品の商品情報を特定でき、商品の出品作業の負担をより低減できるとともに、より正確に商品を出品できる。
【００７９】
また、端末装置１０は、音声の入力を受け付けて音声入力データを取得し、取得した音声入力データを商品出品サーバ２０に送信する。このため、音声入力データを容易に生成できる。加えて、音声入力データは、音声コンテンツの一部分（イントロ部分等）に対応する音声でよいため、音声を発生する作業が簡単となり、さらに出品者の商品の出品作業の負担を低減できる。
【００８０】
［６．その他］
以上の説明では、本発明に係るプログラムのコンピュータ読み取り可能な媒体としてＨＤＤ，ＳＳＤを使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することが可能である。また、本発明に係るプログラムのデータを通信回線を介して提供する媒体として、キャリアウエーブ（搬送波）も本発明に適用される。
【００８１】
なお、上記実施の形態における記述は、本発明に係る商品出品サーバ、商品出品システム、商品出品方法及びプログラムの一例であり、これに限定されるものではない。
【００８２】
上記実施の形態において、商品出品サーバ２０は、端末装置１０から受信した出品情報をオークションサーバ４０に送信して登録させる構成としたが、これに限定されるものではない。例えば、商品出品サーバ２０が、オークションサーバ４０としての機能を有し、端末装置１０から受信した出品情報を登録することにより商品の出品を行う構成としてもよい。この構成によれば、商品出品システム１の構成をより簡単にできる。
【００８３】
また、実施の形態において、商品出品サーバ２０が、端末装置１０からの音声入力データの受信と、音声コンテンツ名特定サーバ３０からの音声コンテンツ名取得と、商品情報の特定と、を行う構成としたが、これに限定されるものではない。例えば、端末装置１０が、アプリケーションプログラムの実行により、音声入力部１６で入力された音声入力データの音声コンテンツ名特定サーバ３０への送信と、音声コンテンツ名特定サーバ３０からの音声コンテンツ名受信と、音声コンテンツ名の商品出品サーバ２０への送信と、商品出品サーバ２０からの特定された商品情報の受信と、操作部１５での出品情報の入力と、オークションサーバ４０への出品情報に応じた商品の出品と、を行う構成としてもよい。
【００８４】
また、実施の形態において、商品出品サーバ２０が、購入履歴データベース９０を用いて、購入商品の商品情報を特定する構成としたが、これに限定されるものではない。商品出品サーバ２０が、購入履歴データベース９０を用いずに、商品の商品情報を特定する構成としてもよい。この場合、店舗での購入、知り合いからの譲渡等により得られた購入履歴に反映されていない商品の商品情報も特定できる。
【００８５】
また、上記実施の形態における商品出品システム１の各構成要素の細部構成及び細部動作に関しては、本発明の趣旨を逸脱することのない範囲で適宜変更可能であることは勿論である。
【００８６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８７】
１  商品出品システム
１０  端末装置
１１  制御部
１２  記憶部
１３  通信部
１４  表示部
１５  操作部
１６  音声入力部
２０  商品出品サーバ
２１  制御部
２２  記憶部
２３  通信部
３０  音声コンテンツ名特定サーバ
３１  制御部
３２  記憶部
３３  通信部
４０  オークションサーバ
５０  ユーザ
６０  再生装置
Ｎ  通信ネットワーク
【図１】
2015219809.tif 000003
【図２】
2015219809.tif 000004
【図３】
2015219809.tif 000005
【図４】
2015219809.tif 000006